(57)【要約】【課題】  注射液の投与確認が容易に行える装置の提供。【解決手段】  動物用注射装置は、注射液を貯め加圧可能なタンクを備える。タンク下流に設けられた第１圧力計を備える。第１圧力計の下流に設けられ、減圧弁による調整後の圧力を表示する第２圧力計を備える。第２圧力計の下流に設けられ、注射液の流量を計測し、積算流量を表示する積算流量計を備える。積算流量計の下流に設けられ、タンクからの注射液の流れのオンオフ切り替えを行うストップバルブを備える。ストップバルブと連動するレバーを備える。ストップバルブの下流に設けられた注射針を備える。第１圧力計は、前記減圧弁による調整前の圧力を表示し、レバーを操作することにより、ストップバルブが開放されて、タンクから注射針に向けて注射液が流れ注射針から注射液が射出されるオン状態と、ストップバルブが閉じて、タンクから注射針に向けての注射液の流れが止まるオフ状態とが切り替えられる。【選択図】図２
2012196421.tif 000002
【特許請求の範囲】
【請求項１】
注射液を貯め、内部を加圧することが可能なタンクと、
前記タンクの下流に設けられた第１圧力計と、
前記第１圧力計の下流に設けられ、減圧弁による調整後の圧力を表示する第２圧力計と、
前記第２圧力計の下流に設けられ、注射液の流量を計測し、積算流量を表示する積算流量計と、
前記積算流量計の下流に設けられ、前記タンクからの注射液の流れのオンオフ切り替えを行うストップバルブと、
前記ストップバルブと連動するレバーと、
前記ストップバルブの下流に設けられた注射針とを備え、
前記第１圧力計は、前記減圧弁による調整前の圧力を表示し、
前記レバーを操作することにより、前記ストップバルブが開放されて、前記タンクから前記注射針に向けて注射液が流れ前記注射針から注射液が射出されるオン状態と、前記ストップバルブが閉じて、前記タンクから前記注射針に向けての注射液の流れが止まるオフ状態とが切り替えられることを特徴とする動物用注射装置。
【請求項２】
前記積算流量計と別体で、前記積算流量計で表示する情報を表示する表示部を含む本体と、腕に取り付ける腕装着部とを有する表示装置を更に備えることを特徴とする請求項１に記載の動物用注射装置。
【請求項３】
前記ストップバルブと前記注射針との間には、外筒と内筒を有し、前記外筒と前記内筒のいずれかを動かすことにより内容積を変えることが出来るシリンダーが設けられることを特徴とする請求項１に記載の動物用注射装置。
【請求項４】
前記タンクは、作業者が背負うための背負いバンドを有し、
前記作業者が前記タンクを背負った状態で、前記作業者の手動で、前記タンクの内部を加圧するためのハンドルを有することを特徴とする請求項１に記載の動物用注射装置。
【請求項５】
前記第２圧力計と前記積算流量計の間には、絞りを有し、前記絞りが前記第２圧力計よりも下流に流れる注射液の流量を調整する流量調整弁を更に備えることを特徴とする請求項１に記載の動物用注射装置。
【発明の詳細な説明】
【技術分野】
【０００１】
本発明は、動物用注射装置に関する。
【背景技術】
【０００２】
特許文献１のように、圧縮空気の力を利用して動物に対して注射を施す装置が提案されている。
【先行技術文献】
【特許文献】
【０００３】
【特許文献１】実開平０７−２４３１４号公報
【発明の概要】
【発明が解決しようとする課題】
【０００４】
しかし、所定量の注射液を投与出来たか否かがわかりにくい問題があった。
【０００５】
したがって本発明の目的は、所定量の注射液の投与の確認が容易に行える動物用注射装置を提供することである。
【課題を解決するための手段】
【０００６】
本発明に係る動物用注射装置は、注射液を貯め、内部を加圧することが可能なタンクと、タンクの下流に設けられた第１圧力計と、第１圧力計の下流に設けられ、減圧弁による調整後の圧力を表示する第２圧力計と、第２圧力計の下流に設けられ、注射液の流量を計測し、積算流量を表示する積算流量計と、積算流量計の下流に設けられ、タンクからの注射液の流れのオンオフ切り替えを行うストップバルブと、ストップバルブと連動するレバーと、ストップバルブの下流に設けられた注射針とを備え、第１圧力計は、前記減圧弁による調整前の圧力を表示し、レバーを操作することにより、ストップバルブが開放されて、タンクから注射針に向けて注射液が流れ注射針から注射液が射出されるオン状態と、ストップバルブが閉じて、タンクから注射針に向けての注射液の流れが止まるオフ状態とが切り替えられる。
【０００７】
タンク内で加圧された空気に押し出される形で、注射液を射出し、動物に注射を施すことが出来る。レバーは、注射液の射出のために、ストップバルブによる注射液の堰き止めを開放するために使用されるため、使用者はレバーを使って加圧する形態に比べて、握力を使わないで注射を行うことが出来る。このため、連続して多くの動物に注射を施すことが可能になる。
【０００８】
また、第１圧力計、第２圧力計、流量調整弁、積算流量計、注射針の内部には、タンク内で加圧された空気に押し出される形で、注射液が流れるため、かかる部分に、空気が入り込む可能性は殆ど無いが、注射針がストップバルブよりも上方に位置するように保持した状態で、作業者がレバーを操作して、注射針の先端から注射液を射出させることにより、注射液に混じった空気の除去は簡単に行える。
【０００９】
また、減圧弁より上流の圧力は第１圧力計が表示し、下流の圧力は第２圧力計が表示し、注射針から射出される注射液の流量は積算流量計が表示する。これらは、タンクを背負い、第１圧力計から注射針が配置された部分のいずれかを保持する作業者が、容易に確認することが出来るし、減圧弁や流量調整弁で調整することも出来るので、所定量の注射液の投与の確認が容易に行える。
【００１０】
好ましくは、積算流量計と別体で、積算流量計で表示する情報を表示する表示部を含む本体と、腕に取り付ける腕装着部とを有する表示装置を更に備える。
【００１１】
腕装着部を作業者の腕に取り付けることにより、より作業者に近い所で積算流量計に示される情報を表示して作業者に知らせることが可能になる。本発明における動物用注射装置は、牛舎内など、比較的暗い場所で使用されることが考えられるが、操作する作業者の腕の近く配置された表示装置で積算流量計に示される情報を表示することで、暗い場所でもかかる情報を作業者が視認しやすくなるメリットがある。
【００１２】
また、好ましくは、ストップバルブと注射針との間には、外筒と内筒を有し、外筒と内筒のいずれかを動かすことにより内容積を変えることが出来るシリンダーが設けられる。
【００１３】
注射針が注射を施す対象の動物の血管に刺さっている場合には、注射針を介して、シリンダーに当該動物の血液が入ってくるため、血液の有無で血管に刺さったか否かを判断することが出来る。
【００１４】
また、好ましくは、タンクは、作業者が背負うための背負いバンドを有し、作業者がタンクを背負った状態で、作業者の手動で、タンクの内部を加圧するためのハンドルを有する。
【００１５】
タンクは、作業者が背負う形態のものであり、作業者がタンクを背負った状態で、ハンドルを使った手動により加圧が行われるため、タンクに注射液が入っている限り、外部からの力を供給することなく、動物用注射装置を使って作業を続けることが可能になる。
【００１６】
また、好ましくは、第２圧力計と積算流量計の間には、絞りを有し、絞りが第２圧力計よりも下流に流れる注射液の流量を調整する流量調整弁を更に備える。
【００１７】
積算流量計の上流に配置された第２圧力計の減圧弁や流量調整弁により、積算流量計の値が変化するスピードは、ほぼ一定に保たれる。このため、積算流量計を見ないでも、レバーを握っている時間（例えば、数秒）を数えておけば、所定量の注射液投与が出来たと判断出来るため、簡単に注射液投与を行うことも可能になる。
【発明の効果】
【００１８】
以上のように本発明によれば、所定量の注射液の投与の確認が容易に行える動物用注射装置を提供することができる。
【図面の簡単な説明】
【００１９】
【図１】本実施形態における動物用注射装置の上面図である。
【図２】本実施形態における動物用注射装置の側面図である。
【図３】タンクと加圧部の構成を示す斜視図である。
【図４】本実施形態における動物用注射装置を使った作業手順を示すフローチャートである。
【図５】本実施形態における表示装置を含む動物用注射装置の上面図である。
【図６】本実施形態における表示部を含む動物用注射装置の側面図である。
【発明を実施するための形態】
【００２０】
以下、本実施形態における動物用注射装置１の構成について、図を用いて説明する。本実施形態に係る動物用注射装置１は、タンク１１、加圧部１３、第１圧力計１５、第２圧力計１７、流量調整弁１９、積算流量計２１、チューブ２２、ストップバルブ２３、レバー２５、シリンダー２６、注射針２７を備える（図１、図２参照）。
【００２１】
注射液が流れる上流の部材から順に説明する。タンク１１は、注射液を貯めるために使用されるもので、蓋１１ａ、及び作業者が背負うための背負いバンド１２を有する。注射液は、蓋１１ａを介して、タンク１１に注入される。
【００２２】
加圧部１３は、ハンドル１４を有し、ハンドル１４を前後方向に揺動させることにより、ハンドル１４に連動したカム（不図示）が、加圧ポンプ（不図示）を作動させ、これによりタンク１１内の圧力を高める（図３参照）。なお、図３は、第１圧力計１５など、タンク１１の下流に設けられた部材は省略している。加圧部１３は、ハンドル１４を使った手動の加圧だけでなく、畜圧式や電気式など、他の加圧方式のものであってもよい。
【００２３】
作業者がタンク１１を背負い、作業者の後方から、作業者の腰近くを経由し、注射針２７が前方に突出するように、上から見てタンク１１、加圧部１３、第１圧力計１５、第２圧力計１７、流量調整弁１９、積算流量計２１、チューブ２２、ストップバルブ２３、レバー２５、シリンダー２６、注射針２７が略Ｌ字状に配置される（図１参照）。
【００２４】
第１圧力計１５は、タンク１１から延びる管を介し、タンク１１の下流に設けられ、タンク１１の圧力を計測し、上面でタンク１１内の圧力（後述する減圧弁による減圧調整前の圧力）を表示する。作業者は、第１圧力計１５を見て、タンク１１の圧力が低いと判断した場合には、加圧部１３を使って、タンク１１の内部を加圧する。
【００２５】
第２圧力計１７は、第１圧力計１５の下流に設けられ、且つ上流側（タンク１１側）圧力の変動や流量変化に関係なく下流側圧力を常時一定に減圧保持する減圧弁を有する。かかる減圧弁により所定の圧力に調整され、第２圧力計１７は、上面で調整後の圧力を表示する。従って、第１圧力計１５と第２圧力計１７の表示を見ることにより、減圧弁による圧力調整前と後の圧力の状態を知ることが出来る。なお、減圧弁は、第２圧力計１７に含まれる形態であっても良いし、第１圧力計１５と第２圧力計１７との間に設けられる形態であってもよい。
【００２６】
流量調整弁１９は、第２圧力計１７の下流に設けられ、絞りを有し、当該絞りが第２圧力計１７よりも下流に流れる注射液の流量を調整する。
【００２７】
積算流量計２１は、流量調整弁１９の下流に設けられ、積算流量計２１を流れる注射液の流量を計測し、上面で積算流量を表示する。積算流量計２１は、リセットスイッチ（不図示）を有しており、作業者の操作によって積算流量の値を特定の値（例えばゼロ）に戻し、かかる特定の値から流量を積算させることが出来る。
【００２８】
ストップバルブ２３は、積算流量計２１の下流に設けられ、タンク１１から注射針２７への注射液の流れのオンオフ切り替えを行う。積算流量計２１とストップバルブ２３との間は、チューブ２２で接続される。チューブ２２が、ゴムや樹脂など可撓性の素材であると、注射針２７を向ける方向を自由に調整することが可能になる。なお、チューブ２２は、用途に応じて長さなどが変えられるように、着脱式であることが望ましい。
【００２９】
具体的には、ストップバルブ２３と連動するレバー２５が設けられ、レバー２５を操作することにより、ストップバルブ２３が開放されて、タンク１１から注射針２７に向けて注射液が流れ注射針２７から注射液が射出されるオン状態と、ストップバルブ２３が閉じて、タンク１１から注射針２７に向けての注射液の流れが止まるオフ状態とが切り替えられる。作業者がレバー２５を握ると、ストップバルブ２３が開放されて、タンク１１から注射針２７に向けて注射液が流れ（オン状態）、レバー２５を握った状態を解除すると、ストップバルブ２３が閉じて、タンク１１から注射針２７に向けての注射液の流れが止まる（オフ状態）。
【００３０】
注射針２７は、ストップバルブ２３の下流に設けられ、ストップバルブ２３が開放されている第１状態の間は、タンク１１からの注射液が、注射針２７から射出される。ストップバルブ２３と注射針２７の間には、透明な素材などを使って内部が見える構造のシリンダー２６が設けられる。シリンダー２６は外筒２６ａと内筒２６ｂとを有し、外筒２６ａまたは内筒２６ｂを、ストップバルブ２３、シリンダー２６、注射針２７が並べられる方向に動かすと、シリンダー２６が伸張し内容積を変えることが出来る。
【００３１】
次に、本実施形態おける動物用注射装置１を使った実際の作業手順について、図４のフローチャートを用いて説明する。
【００３２】
作業者は、注射液が入ったタンク１１を背負いバンド１２を介して背負い、一方の手でレバー２５の近くを保持する（ステップＳ１）。
【００３３】
作業者は、ハンドル１４を揺動させて、タンク１１の圧力を高める。タンク１１の圧力は、第１圧力計１５に表示される（ステップＳ２）。
【００３４】
作業者は、レバー２５を握って、ストップバルブ２３を開放したオン状態で、第２圧力計１７の下流の圧力が所定の値になるように第２圧力計１７の減圧弁を調整し、流量調整弁１９の下流における単位時間あたりの流量が所定の値になるように流量調整弁１９を調整する（ステップＳ３）。単位時間あたりの流量は、積算流量計２１に表示される積算流量を見て判断出来る。
【００３５】
ストップバルブ２３と注射針２７との間の空気を除去するため、注射針２７がストップバルブ２３よりも上方に位置するように保持した状態で、作業者がレバー２５を握って、注射針２７の先端から注射液を射出させ（オン状態）、その後、レバー２５を握った状態を解除する（オフ状態、ステップＳ４）。
【００３６】
作業者は、注射を施す対象の動物の血管に対して、注射針２７の先端を刺した状態で、シリンダー２６の外筒２６ａか内筒２６ｂを、ストップバルブ２３、シリンダー２６、注射針２７が並べられる方向であって、シリンダー２６の内容積を大きくする方向に動かし（例えば、内筒２６ｂを動物から離れる方向に引き）、注射針２７が該動物の血管に刺さっているかを確認する（ステップＳ５）。血管に刺さっている場合には、注射針２７を介して、シリンダー２６に該動物の血液が入ってくるため、血液の有無で血管に刺さったか否かを判断することが出来る。血管に刺さっていない場合には、注射液２７を該動物から離し、該動物の血管に対して注射針２７を刺し直す。血管に刺さっていると判断した場合には、該動物に注射針２７の先端を刺した状態で、レバー２５を握る（オン状態、ステップＳ６）。注射針２７の先端から注射液が射出され、該動物の体内に入る。
【００３７】
作業者は、積算流量計２１を見て、所定の量だけ注射液の投与が終わったと判断したら、レバー２５を握ったオン状態を解除し、注射針２７を該動物から放し、注射液の投与を終了する（オフ状態、ステップＳ７）。
【００３８】
注射を施す総ての動物に対して注射液の投与が終わったか確認し（ステップＳ８）、終わっていない場合には、注射を施す対象の別の動物に対して、ステップＳ５〜Ｓ７の作業を繰り返す。
【００３９】
本実施形態では、タンク１１内で加圧された空気に押し出される形で、注射液を射出し、動物に注射を施すことが出来る。レバー２５は、注射液の射出のために、ストップバルブ２３による注射液の堰き止めを開放するために使用されるため、使用者はレバー２５を使って加圧する形態に比べて、握力を使わないで注射を行うことが出来る。このため、連続して多くの動物にステップＳ５〜Ｓ７の動作を繰り返し行い、注射を施すことが可能になる。
【００４０】
また、第１圧力計１５、第２圧力計１７、流量調整弁１９、積算流量計２１、注射針２７の内部には、タンク１１内で加圧された空気に押し出される形で、注射液が流れるため、かかる部分に、空気が入り込む可能性は殆ど無いが、ステップＳ４の作業で、注射液に混じった空気の除去は簡単に行える。
【００４１】
また、減圧弁より上流の圧力は第１圧力計１５が表示し、下流の圧力は第２圧力計１７が表示し、注射針２７から射出される注射液の流量は積算流量計２１が表示する。これらは、タンク１１を背負い、第１圧力計１５から注射針２７が配置された部分のいずれかを保持する作業者が、容易に確認することが出来るし、減圧弁や流量調整弁１９で調整することも出来るので、所定量の注射液の投与の確認が容易に行える。
【００４２】
また、積算流量計２１の上流に配置された第２圧力計１７の減圧弁や、流量調整弁１９により、積算流量計２１の値が変化するスピードは、ほぼ一定に保たれる。このため、積算流量計２１を見ないでも、レバー２５を握っている時間（例えば、数秒）を数えておけば、所定量の注射液投与が出来たと判断出来るため、簡単に注射液投与を行うことも可能になる。
【００４３】
バルビツール酸系の睡眠薬など、大量に服用すると死に至る薬品を、注射液として使用し、且つかかる量だけ注射液を、動物用注射装置１を使って投与すれば、苦痛を伴わずに屠殺することが可能になるが、通常は、バルビツール酸系の催眠鎮静剤を筋肉注射し、その後、頸部を切開して失血させて死に至らしめる、若しくは、バルビツール酸系の催眠鎮静剤を筋肉注射し、その後、逆性石鹸製剤を静脈注射して死に至らしめる方法を採られることが多い。この場合は、バルビツール酸系の催眠鎮静剤や、逆性石鹸製剤が注射液として使用されることになる。
【００４４】
また、タンク１１は、作業者が背負う形態のものであり、作業者がタンク１１を背負った状態で、ハンドル１４を使った手動により加圧が行われるため、タンク１１に注射液が入っている限り、外部からの力を供給することなく、動物用注射装置１を使って作業を続けることが可能になる。ただし、タンク１１は、作業者が背負うものに限らず、キャスター付きの台車に搭載したものなど、他の形態であってもよい。
【００４５】
また、積算流量計２１で示される情報（注射針２７から射出される注射液の流量）を、別体で表示する表示装置３０を設ける形態であっても良い（図５、図６参照）。表紙装置３０は、表示部を含む本体３１ａと、腕に取り付ける腕装着ベルト３１ｂを有する。
【００４６】
腕装着ベルト３１ｂを作業者の腕に取り付けることにより、より作業者に近い所で積算流量計２１に示される情報を表示して作業者に知らせることが可能になる。本実施形態における動物用注射装置１は、牛舎内など、比較的暗い場所で使用されることが考えられるが、レバー２５を操作する作業者の腕の近く配置された表示装置３０で積算流量計２１に示される情報を表示することで、暗い場所でもかかる情報を作業者が視認しやすくなるメリットがある。なお、積算流量計２１や表示装置３０にバックライトを設けて、暗い所でも視認しやすくする形態であってもよい。
【００４７】
積算流量計２１と表示装置３０との間は、図５や図６に示すような有線ケーブルで電気的に接続される形態でもよいが、それぞれに通信装置を備え、無線で情報を送受信する形態であってもよい。また、腕に装着する部材は、ベルトに限らず、他の部材（例えば、面ファスナーなど）であってもよい。なお、使用シーンによっては、表示装置３０を必要としない場合もあるため、積算流量計２１と表示装置３０との間に設けられた有線ケーブルは、積算流量計２１などから着脱可能であることが望ましい。
【００４８】
また、レバー２５は、図２のように作業者が握ることで、ストップバルブ２３を開放する形態であっても良いし、これに限られるものではなく、例えば、図５や図６に示すように、レバー２５の先端部を作業者の親指の腹で押し下げたり、作業者の指で引き上げたりすることで、ストップバルブ２３を開放する形態であってもよい。
【符号の説明】
【００４９】
１  動物用注射装置
１１  タンク
１１ａ  蓋
１２  背負いバンド
１３  加圧部
１４  ハンドル
１５  第１圧力計
１７  第２圧力計
１９  流量調整弁
２１  積算流量計
２２  チューブ
２３  ストップバルブ
２５  レバー
２６  シリンダー
２７  注射針
３１  表示装置
３１ａ  本体
３１ｂ  腕装着ベルト
【図１】
2012196421.tif 000003
【図２】
2012196421.tif 000004
【図３】
2012196421.tif 000005
【図４】
2012196421.tif 000006
【図５】
2012196421.tif 000007
【図６】
2012196421.tif 000008